(57)【要約】【課題】光コネクタプラグ出口側でのアイセイフティ対策を簡易な構成で容易に実現させることができ、しかも光遮蔽部材自体を外部から隔絶された状態となるようにする。【解決手段】光ファイバを結線して端面研磨して成る固定接続フェルール２と、予め光ファイバが挿入接着し且つ両端面研磨して成る可動接続フェルール３と、両フェルール２、３同士の内部接続用の割スリーブ４と、割スリーブ４の内側に光遮蔽板５ａを配置した光遮蔽部材５と、割スリーブ４の外周を覆うように配したコイルバネ６を介して両フェルール２、３間に任意の間隙Ｇを有する状態となるように当該両フェルール２、３を保持するフェルールホルダー２ａ、３ａとを備え、当該間隙Ｇ内に前記光遮蔽部材５の光遮蔽板５ａが介入し、内部接続方向に移動する可動接続フェルール３によって光遮蔽板５ａを開放方向に退避移動可能とした。【選択図】図１
2008116518.tif 000002
【特許請求の範囲】
【請求項１】
光ファイバを結線して端面研磨されて成る固定接続フェルールと、予め光ファイバが挿入接着され且つ両端面研磨されて成る可動接続フェルールと、両フェルール同士の内部接続用の割スリーブと、割スリーブの内側に光遮蔽板が配置された光遮蔽部材と、割スリーブの外周を覆うように配されたコイルバネを介して両フェルール間に任意の間隙を有する状態となるように当該両フェルールを保持するフェルールホルダーとを備え、当該間隙内に前記光遮蔽部材の光遮蔽板が介入し、内部接続方向に移動する可動接続フェルールによって光遮蔽板を開放方向に退避移動可能としたことを特徴とする光遮蔽機能を備えた光コネクタプラグ。
【請求項２】
コイルバネの付勢力は、割スリーブによる可動接続フェルールを把持固定する力よりも大きく、光コネクタプラグの抜脱解放時には、可動接続フェルールを先端方向に押し出して両フェルール間に、前記光遮蔽板が介入可能となるような間隙が形成されるようにした請求項１に記載の光遮蔽機能を備えた光コネクタプラグ。
【請求項３】
光遮蔽部材は、光遮蔽方向に付勢されている光遮蔽板を可動接続フェルールの内部接続方向への移動によって開放位置に押圧退避させるシャッター構造によるものとした請求項１または２に記載の光遮蔽機能を備えた光コネクタプラグ。
【請求項４】
可動接続フェルールとフェルールホルダーとの間には、当該フェルールホルダーに対して可動接続フェルール自体が回転しないように回転規制手段が設けられている請求項１乃至３のいずれかに記載の光遮蔽機能を備えた光コネクタプラグ。
【発明の詳細な説明】
【技術分野】
【０００１】
本発明は、光通信用の光ケーブルの接続を行うために、例えばレセプタクル等の相手側コネクタに接続されるとか、あるいは光コネクタアダプタ両側から挿入されるとかして相互に接続される光コネクタプラグに係り、光コネクタプラグを相手側コネクタもしくは光コネクタアダプタから抜脱した際に当該光コネクタプラグから光が放射されるのを防止できるようにした光遮蔽機能を備えた光コネクタプラグに関する。
【背景技術】
【０００２】
近年、光通信ネット網の整備に伴い、一般のユーザが光通信用のコネクタを使用する機会が増大している。この光通信に使用されるレーザー光としては、不可視光線が使用されるため、その取り扱い上において、アイセイフティの必要性が高まってきているのが現状である。
【０００３】
このため、近年、外側面に光遮蔽機能を付属して成る種々の光コネクタが開発されつつある。例えば、光コネクタの構造上におけるアイセイフティ対策の容易性から、まず、プラグ嵌合相手であるレセプタクル側に光遮蔽扉構造が取り付けられ始めている。
【特許文献１】特になし
【発明の開示】
【発明が解決しようとする課題】
【０００４】
しかしながら、従来においては、装置側光コネクタプラグの出口側でのアイセイフティ対策が未だに実現されておらず、例えば相手側コネクタから光コネクタプラグを抜いた際には、各種装置に取り付けられた光ケーブル（コード）の反対側端面から光が放射されたままの状態で放置されるので、目に障害を及ぼす等の危険性が高い。
【０００５】
また、光コネクタの外側面に光遮蔽機能を付属させる場合には、元々の光コネクタ嵌合部にある隙間等を利用して付設されるため、光遮蔽機能自体を強固なつくりにすることができない。
【０００６】
しかも、光遮蔽板等が光コネクタの外側面にあると、不特定多数の利用者が取り扱う場合に、興味本位にこの光遮蔽板を抉じ開ける者の出てくることも懸念され、また、強固な構造を有しない光遮蔽板にあっては、容易に開けられてしまうという問題も有る。
【０００７】
そこで、本発明は、叙上のような従来存した諸事情に鑑み案出されたもので、光コネクタプラグ出口側でのアイセイフティ対策を簡易な構成で容易に実現させることができ、しかも光遮蔽機能自体を強固で且つコンパクトなつくりにすることができ、さらに光遮蔽部材自体を外部から隔絶された状態となるようにすることで、興味本位で光遮蔽板を抉じ開ける等の人為的な破損を防止することのできる光遮蔽機能を備えた光コネクタプラグを提供することを目的とする。
【課題を解決するための手段】
【０００８】
上述した課題を解決するため、本発明にあっては、光ファイバを結線して端面研磨されて成る固定接続フェルールと、予め光ファイバが挿入接着され且つ両端面研磨されて成る可動接続フェルールと、両フェルール同士の内部接続用の割スリーブと、割スリーブの内側に光遮蔽板が配置された光遮蔽部材と、割スリーブの外周を覆うように配されたコイルバネを介して両フェルール間に任意の間隙を有する状態となるように当該両フェルールを保持するフェルールホルダーとを備え、当該間隙内に前記光遮蔽部材の光遮蔽板が介入し、内部接続方向に移動する可動接続フェルールによって光遮蔽板を開放方向に退避移動可能としたことを特徴とする。
【０００９】
コイルバネの付勢力は、割スリーブによる可動接続フェルールを把持固定する力よりも大きく、光コネクタプラグの抜脱解放時には、可動接続フェルールを先端方向に押し出して両フェルール間に、前記光遮蔽板が介入可能となるような間隙が形成されるようになっている。
【００１０】
光遮蔽部材は、光遮蔽方向に付勢されている光遮蔽板を可動接続フェルールの内部接続方向への移動によって開放位置に押圧退避させるシャッター構造によるものとなっている。
【００１１】
可動接続フェルールとフェルールホルダーとの間には、当該フェルールホルダーに対して可動接続フェルール自体が回転しないように回転規制手段が設けられている。
【発明の効果】
【００１２】
本発明によれば、光コネクタプラグ出口側でのアイセイフティ対策を簡易な構成で容易に実現させることができ、しかも光遮蔽機能自体を強固で且つコンパクトなつくりにすることができ、さらに光遮蔽部材自体を外部から隔絶された状態となるようにすることで、興味本位で光遮蔽板を抉じ開ける等の人為的な破損を防止することができる。
【００１３】
すなわち、本発明による光コネクタプラグは、相手コネクタへの嵌合時には光を通すが、相手コネクタから抜脱された際には、光コネクタプラグ内部に配された固定接続フェルールに対し、先端側の可動接続フェルールがバネ付勢力によって離反移動し、両接続フェルール端面同士間に間隙が生じ、そこに光遮蔽板が自動的に介入付勢されるため、固定接続フェルールから発する光を当該光遮蔽板によって確実に遮断することができる。
【００１４】
また、両光コネクタプラグ同士を接続アダプタを介して突き合わせて接続することで１本の光ファイバで双方向通信が行われるに際し、一方の光コネクタプラグを接続アダプタから抜脱した時には、従来では双方のコネクタ部から光が放射されてしまうのであるが、本発明によれば、上記した光遮蔽板を備えた光コネクタプラグを装置内部側に配することにより、コネクタ双方向の光放射を抑えることができる。
【００１５】
さらに、光遮蔽板が光コネクタプラグの割スリーブ内側に備えているため、利用者は光遮蔽板に直接触れることがなく、従来のように興味本位で光遮蔽板を抉じ開ける等の人為的な破損を防止することができる。もとより、外観上は通常の光コネクタプラグと変わらないため、従来の外側面に付設された光遮蔽板のように、目に触れるが故の光遮蔽板に対して興味をそそることもないのである。
【００１６】
また、利用者が興味本位に光コネクタプラグの先端側の可動接続フェルールを手指で押し下げて内部の光回路が通じた状態にしても、可動接続フェルールの先端面自体は押している手指によって遮蔽されているため、当該可動接続フェルールの先端面からの光放射は無いものとなる。
【００１７】
また、両接続フェルール端面同士間の間隙の存在により、光通信で取り扱う光のパワーが比較的小さく設定されていれば、この間隙のみで、光コネクタプラグ先端側の可動接続フェルールから発する光を、目に障害を及ぼさない程度の光パワーに自動的に減少させることができる。
【００１８】
また、コイルバネの付勢力は、割スリーブによる可動接続フェルールを把持固定する力よりも大きく、光コネクタプラグの抜脱解放時には、可動接続フェルールを先端方向に押し出して両フェルール間に、前記光遮蔽板が自動的に介入可能となるような間隙が形成されるので、両フェルール間に任意の間隙を容易に形成させておくことができ、これによって、光遮蔽板による光の遮断が確実に行えるものとなる。
【００１９】
また、光遮蔽部材は、光遮蔽方向に付勢されている光遮蔽板を可動接続フェルールの内部接続方向への移動によって開放位置に押圧退避させるシャッター構造によるものとしたので、光遮蔽板の開閉動作が自動的に且つスムーズに行える。
【００２０】
さらに、従来、光ファイバコアと光ファイバ外周間の偏心や、セラミックスリーブ孔と外周間の偏心要因が小さいながらも存在しており、自ずと接着組み立てを行ったフェルール外径と光ファイバコア間でも偏心が生じているのに対して、現状のコネクタの結線組み立て工程では、偏心方向をコネクタ外形の一定方向に向くように決められ、光コネクタの接続損失を抑える工夫が行われている。本発明では、フェルールホルダーに対して可動接続フェルール自体が回転しないように回転規制手段が設けられているので、これに充分に対応できるものである。
【発明を実施するための最良の形態】
【００２１】
以下、図面を参照して本発明を実施するための最良の一形態を説明する。
本形態における光コネクタプラグ１は、図１、図２に示すように、光ケーブルＰ側からの光ファイバＦを結線して先端面研磨されて成る固定接続フェルール２と、予め光ファイバＦが挿入接着され且つ両端面研磨されて成る可動接続フェルール３と、両フェルール２、３同士の内部接続用の割スリーブ４と、割スリーブ４の内側に配置された光遮蔽部材５と、光遮蔽部材５の外周を覆うように配されたコイルバネ６を介して両フェルール２、３間に任意の間隙Ｇを有する状態となるように当該両フェルール２、３を保持する可動接続フェルール３側のフェルールホルダー３ａとを備え、当該間隙Ｇ内に前記光遮蔽部材５の光遮蔽板５ａが常時介入されている構成としてある。
【００２２】
さらに、光コネクタプラグ１には、図２および図３に示すように、可動接続フェルール３側のフェルールホルダー３ａを保持するプラグフレーム７と、プラグフレーム７を前方に付勢するスプリング８の後端を支持するスリーブ状のストップリング９と、光ケーブルＰの抗張力線であるケブラＰ１を前記ストップリング９に固定するカシメ座１０と、光ケーブルＰのケブラＰ１外側を覆う合成樹脂外皮であるシースＰ２を前記カシメ座１０に固定するカシメリング１１と、前記ストップリング９に装着されるブーツ１２と、プラグフレーム７およびストップリング９の外側に被せられるツマミ１３とを備えている。
【００２３】
光遮蔽部材５は、可動接続フェルール３の内部接続方向への移動によって光遮蔽板５ａを開放位置に押圧退避させる所謂シャッター構造によるものとしている。すなわち、図４および図５に示すように、固定接続フェルール２先端に嵌着されたリング状のガイド用基台５ｃを備え、ガイド用基台５ｃの中心開口部を介して左右対称位置に形成された一対のスライドガイド部５ｄに、横長板片状の光遮蔽板５ａ両端がスライド可能に保持されている。そして、光遮蔽板５ａの上端中央から前方へ向けて略Ｌ字状に突設した突起５ｂを、ガイド用基台５ｃの周面割込部分５ｆに配した固定用軸５ｇに一端が保持された捩りバネ５ｅの先端で光遮蔽位置に押さえ込む。この状態によって固定接続フェルール２と可動接続フェルール３との間隙Ｇ内に光遮蔽板５ａが介入される。また、可動接続フェルール３が内部接続方向に移動した際には、当該可動接続フェルール３の後端部のテーパー部分Ｔによって光遮蔽板５ａの突起５ｂが上方向に押圧移動されて光遮蔽板５ａを開放方向に移動させる。
【００２４】
尚、可動接続フェルール３の内部接続端は、面取り量の大きなテーパー部分Ｔが形成されると共に、該テーパー部分Ｔ先端には円筒凸部３ｃを突設することで、両フェルール２、３相互の内部接続時の割スリーブ４内での周囲スペースを増やすことと、光遮蔽板５ａを逃がすのに充分な容積が得られるようにしている。
【００２５】
図２に示すように、固定接続フェルール２は、可動接続フェルール３よりも全体のサイズが若干小さく形成されており、固定接続フェルール２を保持する小サイズのフェルールホルダー２ａ自体を、可動接続フェルール３側の大サイズのフェルールホルダー３ａの後部開口内側に嵌着固定され、両フェルール２、３同士は、コイルバネ６により所定の間隙Ｇを介して前後方向に直列となって配置されている。
【００２６】
すなわち、図９に示すように、可動接続フェルール３の小径状となった後端部が、筒状のフェルールホルダー３ａの一端開口部から挿入され、該後端部はフェルールホルダー３ａ内において、リング状の止め具１４をフェルールホルダー３ａの他端開口部側から挿入して嵌め込むことで固定される。
【００２７】
また、図９に示すように、可動接続フェルール３の後端部の外縁角部には、光遮蔽板５ａを逃げ誘導させるためのテーパー部分Ｔが形成されていると共に、フェルールホルダー３ａの先端開口側には、等間隔毎に４つの嵌合凹部１５ａを有する大径のフランジ１５が設けられており、図１および図２に示すプラグフレーム７内周に突設された前端に係止段部１６ｂを備えた嵌合凸部１６ａに当該フランジ１５の嵌合凹部１５ａを嵌め込ませることにより、フェルールホルダー３ａ自体はプラグフレーム７に保持される。
【００２８】
さらに、可動接続フェルール３とフェルールホルダー３ａとの間には、フェルールホルダー３ａに対して可動接続フェルール３が回転しないように回転規制手段Ｑが設けられている。すなわち、図９に示すように、フェルールホルダー３ａの一端に嵌着されたフランジ１５の開口部内周には、一部が平面となったＤ形のキー溝１５ｂとなっており、これに対応して可動接続フェルール３のテーパー部分Ｔ手前の小径状となった後端部はＤ形のキー溝３ｂとし、これによってフェルールホルダー３ａに対して可動接続フェルール３が回転しないように規制される。
【００２９】
また、この回転規制手段Ｑの他の例としては、フェルールホルダー３ａのフランジ１５の開口部内周にＤ形のキー溝１５ｂを形成する替わりに、図１０および図１１に示すように、中央にＤ形開口部１５ｃを打ち抜き加工し、周囲にはフランジ１５の嵌合凹部１５ａに嵌着される嵌合片部１５ｄを曲げ加工によって形成して成るキー部材１５ｅを使用するものとしても良い。尚、これら回転規制手段Ｑの形態は、本発明を何等拘束するものではなく、他の構成によるものを採用しても良いことは勿論である。
【００３０】
そしてさらに、図９に示すように、フェルールホルダー３ａの他端開口部から内側に割スリーブ４の一端側を挿入して、フェルールホルダー３ａの一端に設けられたフランジ１５の開口部内側に挿入された可動接続フェルール３の小径状となった後端部に嵌着してからコイルバネ６を挿入し、しかる後、小サイズのフェルールホルダー２ａに後端部が嵌着固定され且つ先端部に光遮蔽部材５を嵌着した固定接続フェルール２を前記割スリーブ４の他端側に嵌着する。このとき、光遮蔽部材５の光遮蔽板５ａが割スリーブ４の内側に配置される。
【００３１】
こうして、両フェルール２、３は、可動接続フェルール３側のフェルールホルダー３ａに沿って、コイルバネ６の付勢力により互いに突っ張った状態で且つ所定の間隙Ｇを介して前後方向に直列となって配置された状態となる。このコイルバネ６の付勢力は、割スリーブ４による可動接続フェルール３を把持固定する力を上回っていて、光コネクタプラグ１の抜脱解放時には、可動接続フェルール３を先端方向に押し出して両フェルール２、３間に、前記光遮蔽板５ａが介入可能となるような間隙Ｇが形成される。
【００３２】
また、光コネクタプラグ１を相手側コネクタへ差し込んだ際には、図１から図２または図８に示すように、割スリーブ４内において、可動接続フェルール３がフェルールホルダー３ａ内奥部へ押し下げられて間隙Ｇを狭めるように移動して行き、図６に示すように可動接続フェルール３後端部の外縁角部に形成されたテーパー部分Ｔで光遮蔽板５ａの突起５ｂを捩りバネ５ｅの押さえ込み付勢力に抗して押圧して上方に退けた後、図７に示すように、光遮蔽板５ａが両フェルール２、３接合面部から完全に逃げて両フェルール２、３同士が突き当たる。
【００３３】
また、固定接続フェルール２は、光ケーブルＰ先端からシースＰ２およびケブラＰ１の剥き出しによって露出した光ファイバＦの先端が挿入された後、接着剤等で接着されることにより光ファイバＦを固定するものである。また、両フェルール２、３およびフェルールホルダー３ａそれぞれは、プラグフレーム７とストップリング９に覆われることによりその保護がなされている。
【００３４】
スプリング８はコイル状に形成され、プラグフレーム７およびストップリング９の間に挟まれるように配置されることにより、その後端がストップリング９に支持されている。このようにストップリング９に後端が支持されることにより、スプリング８はプラグフレーム７を前方に付勢するように作用する。
【００３５】
プラグフレーム７には、スプリング８、およびストップリング９の前方部分が挿入されている。この場合、ストップリング９の前方部分における外面には突起９ａが形成されており、この突起９ａがプラグフレーム７後方に形成された係止孔７ａに係合している。この係合により、プラグフレーム７に対してストップリング９が固定され、これらの抜け止めが行われている。また、プラグフレーム７には係止部７ｂが形成され、該係止部７ｂに、接続アダプタ２１のプラグ挿入穴内部にある撓曲保持可能とした外向き係止突起２１ａが嵌合されて保持されるようにしてある（図１２、図１３参照）。
【００３６】
ストップリング９の後方部分には、カシメ座１０およびカシメリング１１を覆うようにして、可撓性を有するブーツ１２が取付られている。
【００３７】
次に、以上のように構成された最良の形態についての組立、使用、動作の一例について説明する。
【００３８】
先ず、固定接続フェルール２に、光ケーブルＰ先端からシースＰ２およびケブラＰ１の剥き出しによって露出した光ファイバＦの先端を挿入し、接着剤等で接着することにより光ファイバＦを固定した後、先端面の研磨を行う。
【００３９】
一方、可動接続フェルール３にも、光ファイバＦを挿入し、接着剤等で接着することにより光ファイバＦを固定した後、両端面研磨を行う。
【００４０】
図９に示すように、可動接続フェルール３の後端部のキー溝３ｂ部分を、フェルールホルダー３ａの一端開口部のキー溝１５ｂから挿入し、フェルールホルダー３ａ内において、リング状の止め具１４を後端部に嵌め込むことで、フェルールホルダー３ａ内部に可動接続フェルール３が回転不能な状態に固定される。
【００４１】
このとき、フェルールホルダー３ａの一端開口部にキー溝１５ｂが形成されていない場合、あるいは旋盤によるキー溝１５ｂの切削加工が困難である場合には、図１０に示すように、予め抜き打ち加工されたキー部材１５ｅをフェルールホルダー３ａの一端に嵌着されたフランジ１５の開口部から嵌め込んでおき、フランジ１５およびキー部材１５ｅ介して、可動接続フェルール３の後端部のキー溝３ｂ部分を、フェルールホルダー３ａの一端開口部から挿入しても良い。
【００４２】
そして、図９に示すように、フェルールホルダー３ａの他端開口部から内側に割スリーブ４の一端側を挿入して、フェルールホルダー３ａの一端開口部内側に挿入された可動接続フェルール３の小径状となった後端部に嵌着してからコイルバネ６を挿入し、しかる後、小サイズのフェルールホルダー２ａに後端部が嵌着固定され且つ先端部に光遮蔽部材５を嵌着した固定接続フェルール２を前記割スリーブ４の他端側に嵌着する。このとき、光遮蔽部材５の光遮蔽板５ａが割スリーブ４の内側に配置される。
【００４３】
こうして、割スリーブ４内において、両フェルール２、３は、可動接続フェルール３側のフェルールホルダー３ａに沿って、コイルバネ６の付勢力により互いに突っ張った状態で且つ所定の間隙Ｇを介して前後方向に直列となって配置された状態となる。
【００４４】
この可動接続フェルール３側のフェルールホルダー３ａには、ストップリング９が装着され、該スプリング８を介してフェルールホルダー３ａにプラグフレーム７が装着固定される。このとき、スプリング８は、プラグフレーム７およびストップリング９の間に挟まれるように配置され、このスプリング８は、ストップリング９に対してプラグフレーム７を前方に付勢するように作用する。
【００４５】
そして、光ケーブルＰの切断端部からシースＰ２およびケブラＰ１を剥き出し状態にしてから、カシメ座１０の後側筒部に、シースＰ２の切断端部を被せておき、カシメリング１１を外側からかしめ固定する。
【００４６】
そして、カシメ座１０の前側筒部を、シースＰ２の切断端部から拡げられたケブラＰ１と共にストップリング９の後部外周に嵌着した後、ブーツ１２をストップリング９の嵌合凹部に嵌合させる（図１参照）。
【００４７】
最後に、ツマミ１３がプラグフレーム７およびストップリング９の外側に被せられる。而して、光遮蔽機能を内部に備えた光コネクタプラグ１が形成される。
【００４８】
次に、光コネクタプラグ１の使用に際し、例えば、両光コネクタプラグ１同士を接続アダプタ２１を介して突き合わせて接続することで１本の光ファイバＦで双方向通信が行われる場合について説明する。
【００４９】
この接続アダプタ２１は、図１２に示すように、双方向からの光コネクタプラグ１を受け入れ可能となる両端開口の一体構造による外部ハウジング２２と、外部ハウジング２２内に割スリーブ２３を介して挿入されるスリーブホルダー２４を備えた内部ハウジング２５とから成る。そして、接続アダプタ２１のプラグ挿入穴内部の上下対称位置には、先端が上下に撓曲可能な係止突起２１ａが互いに外向きに突出配置されている。
【００５０】
先ず、接続アダプタ等の相手側コネクタへ差し込んだ際には、図１３に示すように、プラグフレーム７の一対の係止部７ｂに、接続アダプタ２１のプラグ挿入穴内部にある係止突起２１ａが嵌合されて保持される。これと同時に、図８に示すように、可動接続フェルール３がフェルールホルダー３ａ内奥部へ押し下げられて間隙Ｇを狭めるように移動して行く。
【００５１】
こうして、図７に示すように、可動接続フェルール３後端部の外縁角部に形成されたテーパー部分Ｔで光遮蔽板５ａの突起５ｂを捩りバネ５ｅの付勢力に抗して押圧することで徐々に上方に退ける。そして、光遮蔽板５ａが両フェルール２、３接合面部から完全に逃げてから両フェルール２、３同士が突き当たる。これによって光遮蔽状態が解除されて双方向通信が可能となる。
【００５２】
また、接続アダプタ２１に両側から光コネクタプラグ１がそれぞれ装着されている図１３の状態から、一方の光コネクタプラグ１を引き抜いた図１２の状態となる時には、図２に示す両フェルール２、３同士が突き当たっている状態から、図１に示すように、コイルバネ６の付勢力によって両フェルール２、３間に間隙Ｇを生じさせ、該間隙Ｇに光遮蔽板５ａが捩りバネ５ｅの付勢力によって降下し介在させられることで、固定接続フェルール２からの光が遮蔽される。こうして、光コネクタプラグ１出口側でのアイセイフティ対策を簡易な構成で容易に実現させることができるのである。
【図面の簡単な説明】
【００５３】
【図１】本発明を実施するための最良の形態における光コネクタプラグの引き抜き不使用時の状態を示す一部切欠断面図である。
【図２】同じく光コネクタプラグの差し込み使用時の状態を示す一部切欠断面図である。
【図３】図１中、Ｘ−Ｘ矢視断面図である。
【図４】光遮蔽部材の構成の一例を示す正面図である。
【図５】図４中、Ｙ−Ｙ矢視断面図である。
【図６】光遮蔽部材における光遮蔽板の光遮蔽状態を示す一部切欠斜視図である。
【図７】同じく光遮蔽部材における光遮蔽板の光遮断解除の状態を示す一部切欠斜視図である。
【図８】光遮蔽部材における光遮蔽板の動作状態を説明する一部切欠斜視図である。
【図９】回転規制手段の一例を示すもので、可動接続フェルール、フェルールホルダー、止め具、コイルバネ、光遮蔽部材、割スリーブ、固定接続フェルールそれぞれを組み込む状態を示す分解斜視図である。
【図１０】回転規制手段の他例を示すもので、可動接続フェルール、キー部材、フェルールホルダー、止め具それぞれを組み込む状態を示す分解斜視図である。
【図１１】同じく回転規制手段の他例を示すもので、可動接続フェルール、キー部材、フェルールホルダー、止め具、コイルバネ、光遮蔽部材、割スリーブ、固定接続フェルールそれぞれを組み込む状態を示す分解斜視図である。
【図１２】両光コネクタプラグ同士を接続アダプタを介して突き合わせて接続するときの光遮蔽部材の動作を説明するもので、接続アダプタの片方から光コネクタプラグを抜いた状態の断面図である。
【図１３】両光コネクタプラグ同士を接続アダプタを介して突き合わせて接続するときの光遮蔽部材の動作を説明するもので、両光コネクタプラグ同士を接続した状態の接続アダプタの断面図である。
【符号の説明】
【００５４】
Ｐ      光ケーブル
Ｐ１    ケブラ
Ｐ２    シース
Ｆ      光ファイバ
Ｌ      長手開口部分
Ｓ      スリット部分
Ｇ      間隙
Ｔ      テーパー部分
Ｑ      回転規制手段
１      光コネクタプラグ
２      固定接続フェルール
２ａ    フェルールホルダー
３      可動接続フェルール
３ａ    フェルールホルダー
３ｂ    キー溝
３ｃ    円筒凸部
４      割スリーブ
５      光遮蔽部材
５ａ    光遮蔽板
５ｂ    突起
５ｃ    基端部
６      コイルバネ
７      プラグフレーム
７ａ    係止孔
７ｂ    係止部
８      スプリング
９      ストップリング
９ａ    突起
１０    カシメ座
１１    カシメリング
１２    ブーツ
１３    ツマミ
１４    止め具
１５    フランジ
１５ａ  嵌合凹部
１５ｂ  キー溝
１５ｃ  Ｄ形開口部
１５ｄ  嵌合片部
１５ｅ  キー部材
１６ａ  嵌合凸部
１６ｂ  係止段部
２１    接続アダプタ
２１ａ  係止突起
２２    外部ハウジング
２３    割スリーブ
２４    スリーブホルダー
２５    内部ハウジング
【図１】
2008116518.tif 000003
【図２】
2008116518.tif 000004
【図３】
2008116518.tif 000005
【図４】
2008116518.tif 000006
【図５】
2008116518.tif 000007
【図６】
2008116518.tif 000008
【図７】
2008116518.tif 000009
【図８】
2008116518.tif 000010
【図９】
2008116518.tif 000011
【図１０】
2008116518.tif 000012
【図１１】
2008116518.tif 000013
【図１２】
2008116518.tif 000014
【図１３】
2008116518.tif 000015